(57)【要約】【課題】複数のデバイスを用いた複数の処理が連携された連携処理命令に対して、本構成を有しない場合に比べて、それぞれのデバイスの電力供給遮断状態からの復帰の時期を最適にする。【解決手段】ジョブフローの登録内容に基づいて、各デバイスの電力供給時期を制御するようにした。ジョブフローが登録されている場合、タッチパネル部９２の「ボックス保存」表示領域９２Ａにタッチ操作し、「Scan to Mailbox」画面が表示される時期に、画像読取部２３８への電力供給が開始される。特定のボックス領域９２Ｆがタッチ操作されると、指定されたボックス領域９２Ｆに登録されているジョブフローが解析され、デバイスへの電力供給時期が決定される。すなわち、登録されているジョブフローの内容を解析し、事前に、処理に必要なデバイスに対して節電モードから復帰させるようにした。【選択図】図８
2011176488.tif 000002
【特許請求の範囲】
【請求項１】
複数のデバイスのそれぞれに対して独立して電力の供給又は供給遮断を切り替える切替手段と、
予め複数の機能を連携して処理するための連携処理命令が登録される登録手段と、
前記登録手段に登録された連携処理命令を解析して、当該連携処理命令に基づく機能を実行するために必要なデバイスを選択する選択手段と、
前記選択手段でデバイスが選択された際に、電力供給が遮断されているデバイスに対して、電力の供給の再開する電力供給再開手段と、
前記連携処理命令に基づく連携した機能を処理するために、前記デバイスの稼働を制御する制御手段と、
を有する電力供給制御装置。
【請求項２】
前記制御手段が、電力供給が再開され稼働可能となったデバイスから順に処理を実行するパラレルモード処理、或いは、前処理の終了後に次処理を実行するシーケンシャルモード処理の何れかのモードに基づいて処理を実行することを特徴とする請求項１記載の電力供給制御装置。
【請求項３】
前記登録手段に登録された複数の連携処理命令毎に仕分けして表示する表示部、並びに当該仕分けされた連携処理命令の何れかを指示するための指示部を備えたユーザーインターフェイス手段をさらに有し、
前記連携処理命令を指示するための表示形態よりも上階層の表示形態から表示形態を下階層へ切り替えていくときに、処理に必要なデバイスが確定した場合、当該デバイスに対して、確定した時点で電力供給を再開することを特徴とする請求項１又は請求項２の電力供給制御装置。
【請求項４】
前記請求項１〜請求項３の何れか１項記載の電力供給制御装置を備え、
前記デバイスが、原稿画像を読み取る画像読取手段と、画像データに基づいて記録用紙へ画像を形成する画像形成手段と、外部と画像を送受信するファクシミリ通信手段であり、
前記連携処理命令が、スキャナ機能、コピー機能、プリント機能、ファクシミリ送信機能、ファクシミリ受信機能が組み合わされて生成される画像処理装置。
【請求項５】
コンピュータを、前記請求項１〜請求項３の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
特許文献１には、複数の関連する処理を並行処理する技術として、サーバが、分配したジョブの出力先の画像形成装置の節電状態を監視し、出力先の画像形成装置を決定することが記載されている。例えば、１つのプリントジョブを複数に分割し、複数のプリンタに出力するときに、出力済みのページ分の記録媒体をプリンタを通さずに排出し、最終的にページ順に並ぶようにしている。
【先行技術文献】
【特許文献】
【０００３】
【特許文献１】特開２００６−２２７７９４公報
【発明の概要】
【発明が解決しようとする課題】
【０００４】
本発明は、複数のデバイスを用いた複数の処理が連携された連携処理命令に対して、それぞれのデバイスの電力供給遮断状態からの復帰の時期を最適にすることができる電力供給制御装置、画像処理装置、電力供給制御プログラムを得ることが目的である。
【課題を解決するための手段】
【０００５】
請求項１に記載の発明は、複数のデバイスのそれぞれに対して独立して電力の供給又は供給遮断を切り替える切替手段と、予め複数の機能を連携して処理するための連携処理命令が登録される登録手段と、前記登録手段に登録された連携処理命令を解析して、当該連携処理命令に基づく機能を実行するために必要なデバイスを選択する選択手段と、前記選択手段でデバイスが選択された際に、電力供給が遮断されているデバイスに対して、電力の供給の再開する電力供給再開手段と、前記連携処理命令に基づく連携した機能を処理するために、前記デバイスの稼働を制御する制御手段と、を有している。
【０００６】
請求項２に記載の発明は、前記請求項１に記載の発明において、前記制御手段が、電力供給が再開され稼働可能となったデバイスから順に処理を実行するパラレルモード処理、或いは、前処理の終了後に次処理を実行するシーケンシャルモード処理の何れかのモードに基づいて処理を実行することを特徴とする。
【０００７】
請求項３に記載の発明は、前記請求項１又は請求項２に記載の発明において、前記登録手段に登録された複数の連携処理命令毎に仕分けして表示する表示部、並びに当該仕分けされた連携処理命令の何れかを指示するための指示部を備えたユーザーインターフェイス手段をさらに有し、前記連携処理命令を指示するための表示形態よりも上階層の表示形態から表示形態を下階層へ切り替えていくときに、処理に必要なデバイスが確定した場合、当該デバイスに対して、確定した時点で電力供給を再開することを特徴とする。
【０００８】
請求項４に記載の発明は、前記請求項１〜請求項３の何れか１項記載の電力供給制御装置を備え、前記デバイスが、原稿画像を読み取る画像読取手段と、画像データに基づいて記録用紙へ画像を形成する画像形成手段と、外部と画像を送受信するファクシミリ通信手段であり、前記連携処理命令が、スキャナ機能、コピー機能、プリント機能、ファクシミリ送信機能、ファクシミリ受信機能が組み合わされて生成される画像処理装置である。
【０００９】
請求項５に記載の発明は、前記請求項１〜請求項３の何れか１項記載の発明において、コンピュータを、前記請求項１〜請求項３の何れか１項記載の電力供給制御装置として実行させる電力供給制御プログラムである。
【発明の効果】
【００１０】
請求項１、請求項４、請求項５記載の発明によれば、複数のデバイスを用いた複数の処理が連携された連携処理命令に対して、本構成を有しない場合に比べて、それぞれのデバイスの電力供給遮断状態からの復帰の時期を最適にすることができる。
【００１１】
請求項２に記載の発明によれば、処理モードを選択することができる。
【００１２】
請求項３に記載の発明によれば、ユーザーの操作に連動してデバイスへの電力供給を行うことができる。
【図面の簡単な説明】
【００１３】
【図１】本実施の形態に係る画像処理装置の概略図である。
【図２】本実施の形態に係るメインコントローラと電源装置との概略構成図である。
【図３】ＵＩタッチパネルの正面図である。
【図４】タッチパネル部の正面図であり、（Ａ）は「Menu」画面、（Ｂ）は「Scan to Mailbox」画面（ボックス選択前）、（Ｃ）は「Scan to Mailbox」画面（ボックス選択後）である。
【図５】本実施の形態に係るジョブフロー処理のメインルーチンを示す制御フローチャートである。
【図６】図５のステップ１１２に示すパラレルモード電源供給処理サブルーチンを示すフローチャートである。
【図７】図５のステップ１１４に示すシーケンシャルモード電源供給処理サブルーチンを示すフローチャートである。
【図８】パラレルモード処理と、シーケンシャルモード処理とを、比較例と共に示したタイミングチャートである。
【発明を実施するための形態】
【００１４】
図１には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部１２又はファクシミリ通信制御回路２３６へ送出したりする。
【００１５】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００１６】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１７】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００１８】
図２は、前記メインコントローラ２００によって制御されるデバイス、並びにメインコントローラ２００、並びに各デバイスへ電源を供給するための電源装置２０２の電源ラインを主体とした概略構成図である。
【００１９】
（メインコントローラ２００）
図２に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００２０】
Ｉ／Ｏ２１０には、タイマ回路２２０、通信回線Ｉ／Ｆ２２２が接続されている。さらに、Ｉ／Ｏ２１０には、画像読取制御部２２４、画像形成制御部２２６、画像複写制御部２２８、ファクシミリ受信制御部２３０、ファクシミリ送信制御部２３２が接続され、機能別に独立して制御するようになっている。
【００２１】
画像読取制御部２２４、画像形成制御部２２６、画像複写制御部２２８、ファクシミリ受信制御部２３０、ファクシミリ送信制御部２３２は、デバイス選択Ｉ／Ｆ２３４に接続されている。
【００２２】
デバイス選択Ｉ／Ｆ２３４は、ファクシミリ通信制御回路（モデム）２３６、画像読取部２３８、画像形成部２４０の各デバイスに接続され、前記画像読取制御部２２４、画像形成制御部２２６、画像複写制御部２２８、ファクシミリ受信制御部２３０、ファクシミリ送信制御部２３２における制御動作の実行に基づき、選択されるようになっている。
【００２３】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００２４】
メインコントローラ２００及び各デバイス（ファクシミリ通信制御回路２３６、画像読取部２３８、画像形成部２４０）は、電源装置２０２から電源が供給される（図２の鎖線参照）。なお、図２では、電源線を１本の点線で示しているが、実際には２本〜３本の配線である。
【００２５】
（電源装置２０２）
図２に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００２６】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通/非導通させるためのスイッチング制御を行う。
【００２７】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００２８】
また、第２の電源部２５０は、高電圧電源生成部（ＨＶＰＳ）２５０Ｈと低電圧電源生成部（ＬＶＰＳ）２５０Ｌを備えている。高電圧電源生成部（ＨＶＰＳ）２５０Ｈは主として画像形成部２４０の帯電部、現像部、転写部等で使用される電源である。
【００２９】
第２の電源部２５０の高電圧電源生成部（ＨＶＰＳ）２５０Ｈ及び低電圧電源生成部（ＬＶＰＳ）２５０Ｌは、選択的に、画像読取機能電源供給部２５８、画像形成機能電源供給部２６０、画像複写機能電源供給部２６２、ファクシミリ受信機能電源供給部２６４、ファクシミリ送信機能電源供給部２６６に接続されている。
【００３０】
画像読取機能電源供給部２５８は、低電圧電源生成部（ＬＶＰＳ）２５０Ｌを入力源として、第２のサブ電源スイッチ２６８（以下、「ＳＷ−２」という場合がある。）を介して、画像読取部２３８に接続されている。
【００３１】
画像形成機能電源供給部２６０は、高電圧電源生成部（ＨＶＰＳ）２５０Ｈと低電圧電源生成部（ＬＶＰＳ）２５０Ｌを入力源として、第３のサブ電源スイッチ２７０（以下、「ＳＷ−３」という場合がある。）を介して、画像形成部２４０に接続されている。
【００３２】
画像複写機能電源供給部２６２は、高電圧電源生成部（ＨＶＰＳ）２５０Ｈと低電圧電源生成部（ＬＶＰＳ）２５０Ｌを入力源として、第４のサブ電源スイッチ２７２（以下、「ＳＷ−４」という場合がある。）を介して、画像読取部２３８及び画像形成部２４０に接続されている。
【００３３】
ファクシミリ受信機能電源供給部２６４は、高電圧電源生成部（ＨＶＰＳ）２５０Ｈと低電圧電源生成部（ＬＶＰＳ）２５０Ｌを入力源として、第５のサブ電源スイッチ２７４（以下、「ＳＷ−５」という場合がある。）を介して、ファクシミリ通信制御回路２３６及び画像形成部２４０に接続されている。
【００３４】
ファクシミリ送信機能電源供給部２６６は、低電圧電源生成部（ＬＶＰＳ）２５０Ｌを入力源として、第６のサブ電源スイッチ２７６（以下、「ＳＷ−６」という場合がある。）を介して、ファクシミリ通信制御回路２３６及び画像読取部２３８に接続されている（通信レポート等の出力を除く）。
【００３５】
前記第２のサブ電源スイッチ２６８、第３のサブ電源スイッチ２７０、第４のサブ電源スイッチ２７２、第５のサブ電源スイッチ２７４、第６のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。
【００３６】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００３７】
図３は、ＵＩパネル（ＵＩタッチパネル）２１６の一例を示しており、横長のベース板９０のほぼ中央には、タッチパネルユニット９１が配置されている。タッチパネルユニット９１には、入力系と出力系とを兼ね備えたタッチパネル部９２を備えており、ソフト的に操作入力領域が設定され、当該操作入力領域の機能を表示する。さらに、タッチパネル部９２は、図示しないバックライトが設けられており、特に表示系が液晶表示装置である場合に、表示内容を見やすくしている。タッチパネル部９２には、少なくとも、ファクシミリ機能、画像読取（スキャン）機能、画像複写（コピー）機能、画像形成（プリンタ）機能の各機能を指示する機能指示キーが表示されるようになっており、当該表示領域に触れることで、それぞれの機能が指定される。
【００３８】
タッチパネルユニット９１の図３の左側には、メモリプレートユニット９３が設けられ、予め登録した電話番号（ＦＡＸ番号）毎にキーが割り当てられている。
【００３９】
タッチパネルユニット９１の図３の右側には、テンキー（点線９４で囲んだ領域）及び機能キー（点線９６、点線９７で囲んだ領域）が集約されたハードキーユニット９８が設けられている。ハードキーユニット９８は、文字通り、タッチパネル部９２とは異なり、物理的に押圧操作をして指示を入力するものである。近年では、当該ハードキーの操作キー毎に透過光源で照明する場合がある。ハードキーユニット９８には、前記タッチパネル部９２に前記各機能を指示するための機能指定キーが表示されるメニュー画面を表示させるためのメニューキー９７Ａを始め、機能を開始するためのスタートキー９６Ａ、機能を中止するためのストップキー９６Ｂ、リセットキー９６Ｃが設けられている。
【００４０】
また、ハードキーユニット９８には、節電キー９６Ｄが設けられており、この節電キー９６Ｄを単独で操作することで、第１のサブ電源スイッチ（ＳＷ−１）２５６が「オフ」状態となり、節電モードに入るようになっている。また、節電モード中に節電キー９６Ｄが操作されると、ＳＷ−１が「オン」状態となり、通常モードに復帰する。
【００４１】
ところで、前述したように、本実施の形態では、デバイスの非稼動時、かつ予め定めた条件が成立したときに、各デバイス（前記サブ電源スイッチのオン・オフで電源供給が制御されるデバイス）への電源の供給を自動的に遮断するようにしている。
【００４２】
予め定めた条件とは、タイマ時間であり、初期設定時間は、１分（許容誤差を含む）としている。すなわち、デバイスが非稼動状態で１分が経過すると、メインコントローラ２００では、第１のサブ電源スイッチ２５６をオフする。
【００４３】
本実施の形態では、ＳＷ−２〜ＳＷ−６を設けることで、節電モード中に、特定の機能を実行したいとき、当該特定の機能に必要なデバイスだけ電源を供給する制御を可能としている。すなわち、節電モード中に、特定の機能に該当するサブ電源スイッチのみをオンにした状態でＳＷ−１をオンすることで、他のデバイスには電源供給がなされない状態となる（部分節電モード）。
【００４４】
さらに、本実施の形態では、前記節電キーの操作時に、機能キーを同時操作することで、当該操作された機能キーの処理に必要なデバイスへの電源供給のみを遮断することも可能となっている（手動部分節電モード）。
【００４５】
ここで、本実施の形態では、複数の機能を連携させて登録し（ジョブフロー登録し）、当該連携して登録された複数の機能を時系列に処理するジョブフロー処理機能を備えている。なお、登録は、通常は、ネットワーク通信回線網２０を介して接続された処理端末（以下、「ＰＣ」という）によって登録される。登録されたジョブフローに基づいて、各デバイスが順次稼動して一連の複数の機能が処理されることになる。
【００４６】
ところで、上記は必要なデバイスに電力が供給されている状態が前提であり、デバイスの一部または全部が節電状態（電力遮断状態）である場合、必要なデバイスに電力を供給する必要がある。この場合、必要なデバイスへの電力供給が実行され、処理可能状態となってから、ジョブフローを開始するのが一般的である。これに対して、本実施の形態では、ジョブフローの登録内容に基づいて、各デバイスの電力供給時期を制御するようにした。
【００４７】
例えば、全てのデバイスの電力供給が遮断されている状態で、ジョブフローとして、「スキャンした画像を指定場所へＦＡＸ送信し、かつプリントアウトする」といった内容が登録された場合、ジョブフロー処理機能は、予め前記ＰＣにおいて登録した内容が、「ボックス保存」という形態で、メインコントローラ２００にジョブフロー単位で登録されるようになっている。
【００４８】
当該ジョブフローの処理を実行する場合、まず、ＵＩパネル２１６において、登録されているボックスを選択することから開始される。
【００４９】
図４は、ＵＩパネル２１６のタッチパネル部９２における、ボックス選択までの表示の遷移を示している。
【００５０】
図４（Ａ）は、ハードキーユニット９８におけるメニューキー９７Ａが操作されたときのメニュー画面の一例である。このメニュー画面では、上記メニュー画面において、前述したように、各機能を指示するための機能指定キーが表示され、その一部に「ボックス保存」と表示された領域（「ボックス保存」表示領域９２Ａ」）が設けられている（「Menu」画面）。
【００５１】
図４（Ｂ）は、前記「Menu」画面上で、「ボックス保存」表示領域９２Ａにタッチ操作したときに表示される画面であり、４つのタグ（スキャンボックス保存タグ９２Ｂ、画質調整タグ９２Ｃ、読み取り方法タグ９２Ｄ、出力形式タグ９２Ｅ）に関する画面が所謂重ねられた状態で表示され、タグ領域をタッチ操作することで、必要な画面が最前面に移行する表示形態となっている（「Scan to Mailbox」画面）。
【００５２】
なお、この図４（Ｂ）の「Scan to Mailbox」画面が表示される際に、画像読取部２３８（図１及び図２参照）への電力供給が開始されるようになっている。
【００５３】
図４（Ｃ）は、前記「Scan to Mailbox」画面において、複数のボックス領域から特定のボックス領域９２Ｆがタッチ操作され、指定された状態である（例えば、指定されたボックス領域９２Ｆは反転表示される）。この指定する時期に、指定されたボックス領域９２Ｆに登録されているジョブフローが解析されるようになっている。この解析では、デバイスへの電力供給時期が決定される。
【００５４】
すなわち、ジョブフローの処理を実行する場合の、本実施の形態の比較例としては、デバイスへの電力供給が遮断されている状態（節電モード中）で、その都度、処理が必要なデバイスが判明した時点で、電力を供給する（節電モードから復帰する）のが一般的であった。これに対して、本実施の形態では、ジョブフローが登録されているボックス（「ボックス保存」表示領域９２Ａ）が選択されると、当該登録されているジョブフローの内容を解析し、事前に、処理に必要なデバイスに対して電力を供給する（節電モードから復帰させる）ようにした。
【００５５】
以下に、本実施の形態の作用を図５〜図７のフローチャートに従い説明する。
【００５６】
図５は、全てのデバイスが電力の供給を遮断されている状態（節電モード）で、ジョブフローの処理を実行するための処理の流れを示すメインルーチンを示すフローチャートである。
【００５７】
まず、ステップ１００で、ＵＩパネル２１６のメニューキー９７Ａが操作されたときにタッチパネル部９２に表示されるメニュー画面（図４（Ａ）の「Menu」画面）から、「ボックス保存」表示領域９２Ａをタッチ操作し、図４（Ｂ）に示す「Scan to Mailbox」画面に切り替える。
【００５８】
次のステップ１０２では、この図４（Ｂ）の「Scan to Mailbox」画面が表示されるタイミングで、画像読取部２３８への電源供給を再開し（節電モードから復帰）、ステップ１０４へ移行する。
【００５９】
ステップ１０４では、上記図４（Ｂ）の「Scan to Mailbox」画面から特定のボックス領域９２Ｆを選択（タッチ操作）を実行すると、ステップ１０６へ移行して、選択されたボックス領域９２Ｆにジョブフロー関連付けがあるか（ジョブフローが登録されているか）が判断され、否定判定された場合は、このルーチンは終了する。
【００６０】
また、ステップ１０６で肯定判定された場合は、ステップ１０８へ移行して、登録されているジョブフローの内容を解析する。すなわち、このジョブフローの解析では、大きく分類して、各機能を時系列に処理（シーケンシャルに処理）しなければならないか、各機能を並行に処理（パラレルに処理）可能であるかを解析するものである。
【００６１】
例えば、本実施の形態で言えば、ＦＡＸ送信する画像データは、まず、画像読取部２３８で元原稿から読み取らなければならないため、シーケンシャル処理が必須であり、読み取った画像をＦＡＸ送信することと、印刷することは、パラレル処理が可能となる。
【００６２】
次のステップ１１０では、前記ステップ１０８での解析結果に基づいて、処理モード（パラレルモード又はシーケンシャルモード）を判定する。
【００６３】
すなわち、ステップ１１０では、ジョブフローにおいて、相対的に前の処理が終了しなければ後の処理が実行できない場合はシーケンシャル処理が選択される。また、ジョブフローにおいて、相対的に前の処理に関係なく後の処理が実行可能な場合はパラレル処理が選択される。
【００６４】
より具体的には、原稿画像の複写処理の場合は、原稿画像を読み取らなければ、画像形成処理ができないため、シーケンシャル処理となる。一方、原稿画像はＦＡＸ送信され、これとは別に、通信回線網等から入力される画像データに基づいて画像形成を行う場合は、画像読取処理と、画像形成処理とが並行して処理できるため、パラレル処理となる。
【００６５】
ステップ１１０でパラレルモードと判定された場合は、ステップ１１２へ移行してパラレルモード電源供給処理サブルーチン（図６参照）が実行され、シーケンシャルモードと判定された場合は、ステップ１１０へ移行してシーケンシャルモード電源供給処理サブルーチン１１４（図７参照）が実行される。
【００６６】
図６は、図５のステップ１１２における、パラレルモード電源供給処理サブルーチンの詳細を示すフローチャートである。
【００６７】
ステップ１２０では、ジョブフローで使用される全デバイスに対して、電力供給を実行する。
【００６８】
次のステップ１２２では、電力供給後、稼動可能な機能（複数のデバイスの場合がある）があるか否かが判断され、肯定判定されると、ステップ１２４へ移行して、当該処理可能な機能の実行を開始し、ステップ１２６へ移行する。
【００６９】
上記ステップ１２４での機能の実行開始とは並行して、ステップ１２６では、依然として、電力供給され、かつ稼動可能な状態に至っていないデバイスがあるか否かが判断され、肯定判定された場合は、ステップ１２２へ戻り、上記工程を繰り返す。また、ステップ１２６で否定判定された場合は、全ての機能の処理が開始されたと判断し、このルーチンは終了する。
【００７０】
図７は、図５のステップ１１４における、シーケンシャルモード電源供給処理サブルーチンの詳細を示すフローチャートである。
【００７１】
ステップ１５０では、ジョブフローで使用される全デバイスに対して、電力供給を実行する。
【００７２】
次のステップ１５２では、ジョブフロー処理で最初の機能に必要なデバイスへの電力供給後、稼動可能な状態が完了したか否かが判断され、肯定判定されると、ステップ１５４へ移行する。
【００７３】
ステップ１５４では、ジョブフロー処理で最初の機能の処理開始が指示され、ステップ１５６へ移行する。ステップ１５６では、当該最初の機能の処理が完了したか否かが判断され、肯定判定されると、ステップ１５８へ移行する。
【００７４】
ステップ１５８では、ジョブフロー処理で指定された順序における、次の機能があるか否かが判断され、否定判定された場合は、このルーチンは終了する。
【００７５】
また、ステップ１５８で肯定判定されると、ステップ１６０へ移行して、ジョブフロー処理で次の機能の処理に必要なデバイスが稼動可能状態となったか否かが判断される。
【００７６】
ステップ１６０で肯定判定されると、ステップ１６２へ移行して、ジョブフロー処理に従った順序に基づいて当該機能の処理開始が指示され、ステップ１６４へ移行する。
【００７７】
ステップ１６４では、処理が完了したか否かが判断され、肯定判定されると、ステップ１５８へ戻り、上記工程を、ジョブフロー処理に登録されている機能が終了するまで、上記工程を繰り返す。
【００７８】
図８は、前記図６で示したパラレルモードでの処理のタイミングチャートと、前記図７で示したシーケンシャルモードでの処理のタイミングチャートとを、比較例と共に示したものである。
【００７９】
図８は、縦方向に時間が経過するパターン図となっており、最も左側（（Ａ）と表記）のタイミングチャートが比較例である。
【００８０】
この比較例では、「Scan to Mailbox」画面が表示された時点で、画像読取部２３８の節電モードからの復帰が行われ、スタートキー操作によって画像読み取りが実行されるものの、当該画像読み取りが終了した時点で、次の処理に必要なデバイス（ここでは、ファクシミリ通信制御回路２３６）が節電モードからの復帰を開始する。同様に、このファクシミリ通信制御回路２３６での処理が終了した時点で、次の処理に必要なデバイス（ここでは、画像形成部２４０）が節電モードからの復帰を開始する。
【００８１】
これは、選択したボックスに登録されているジョブフローを解析していないことに起因している。仮に、早期処理を目的とするのであれば、全てのデバイスを立ち上げる必要がある。
【００８２】
これに対して、本実施の形態のパラレルモード処理（図８で（Ｂ）と表記）、シーケンシャルモード処理（図８で（Ｃ）と表記）の何れにおいても、予め（ボックスが選択された時点で）、ジョブフローを解析しているため、必要なデバイスを節電モードから復帰させ、早期処理と省エネとを両立が可能となる。
【００８３】
例えば、図８（Ｂ）は、ジョブフローとして、（１）原稿画像をスキャンし、（２）スキャンの完了待たずに、読み終えた画像から指定場所ＦＡＸ送信を実行し、（３）スキャンした原稿画像を画像形成する（複写処理）ものであり、原稿が大量で読み取りに時間がかかる場合であっても、パラレル処理することで、処理時間の短縮が可能である。
【００８４】
また、例えば、図８（Ｃ）は、ジョブフローとして、（１）原稿画像をスキャンし、（２）スキャンの完了後、指定場所ＦＡＸ送信を実行し、（３）ＦＡＸ送信完了の通信レポートを出力するものであり、先の処理の完了を待つ必要があるため、シーケンシャル処理が選択される。
【符号の説明】
【００８５】
２０    ネットワーク通信回線網
２２    電話回線網
９０    ベース板
９１    タッチパネルユニット
９２    タッチパネル部
９２Ａ    「ボックス保存」表示領域
９２Ｂ    スキャンボックス保存タグ
９２Ｃ    画質調整タグ
９２Ｄ    読み取り方法タグ
９２Ｅ    出力形式タグ
９２Ｆ    ボックス領域
９３    メモリプレートユニット
９４    点線
９６    点線
９６Ａ    スタートキー
９６Ｂ    ストップキー
９６Ｃ    リセットキー
９６Ｄ    節電キー
９７    点線
９７Ａ    メニューキー
９８  ハードキーユニット
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２２０    タイマ回路
２２２    通信回線Ｉ／Ｆ
２２４    画像読取制御部
２２６    画像形成制御部
２２８    画像複写制御部
２３０    ファクシミリ受信制御部
２３２    ファクシミリ送信制御部
２３４    デバイス選択Ｉ／Ｆ
２３６    ファクシミリ通信制御回路
２３８    画像読取部
２４０    画像形成部
２４２    商用電源
２４４    入力電源線
２４６    メインスイッチ
２４８    第１の電源部
２５０    第２の電源部
２４８Ａ    制御用電源生成部
２５２    電源供給制御回路
２５４    電源線
２５６    第１のサブ電源スイッチ（「ＳＷ−１」）
２５０Ｈ    高電圧電源生成部
２５０Ｌ    低電圧電源生成部
２５８    画像読取機能電源供給部
２６０    画像形成機能電源供給部
２６２    画像複写機能電源供給部
２６４    ファクシミリ受信機能電源供給部
２６６    ファクシミリ送信機能電源供給部
２６８    第２のサブ電源スイッチ（「ＳＷ−２」）
２７０    第３のサブ電源スイッチ（「ＳＷ−３」）
２７２    第４のサブ電源スイッチ（「ＳＷ−４」）
２７４    第５のサブ電源スイッチ（「ＳＷ−５」）
２７６    第６のサブ電源スイッチ（「ＳＷ−６」）
【図１】
2011176488.tif 000003
【図２】
2011176488.tif 000004
【図３】
2011176488.tif 000005
【図４】
2011176488.tif 000006
【図５】
2011176488.tif 000007
【図６】
2011176488.tif 000008
【図７】
2011176488.tif 000009
【図８】
2011176488.tif 000010